(57)【要約】【課題】冷蔵庫本体下部へのダクトカバーの取付が簡単に行え、低コストで品質的にも安定した冷蔵庫を提供する。【解決手段】冷蔵庫本体１の下部後方の機械室７に設けるファンと圧縮機８を配設した圧縮機取付台２０と、前方に吸気口１３を有し、後方に機械室７に連通する通気口１４を有し、内部に凝縮パイプ６を収容支持し、冷蔵庫本体１の下部前方を覆うように取付けることによりダクト１５を形成するダクトカバー１１とを一体に接続し、前面１ａを上に向けた冷蔵庫本体の底部５と対峙させ、ダクトカバー１１の前部１１ａを冷蔵庫本体１の下部前方に設けられた断面Ｌ字状の化粧板１７に取付けるようにした冷蔵庫であって、その取付手段として、ダクトカバー１１の前部１１ａ左右間に複数の係止部１６を一体に形成する一方、化粧板１７に前記係止部１６に対応する複数の係止孔１８を設けた構成とする。【選択図】  図１
2004286324.tif 000002
【特許請求の範囲】
【請求項１】
冷蔵庫本体の下部後方の機械室に設けるファンと圧縮機を配設した圧縮機取付台と、前方に吸気口を有し、後方に前記機械室に連通する通気口を有し、内部に凝縮パイプを収容支持し、前記冷蔵庫本体の下部前方を覆うように取付けることによりダクトを形成するダクトカバーとを一体に接続し、前面を上に向けた前記冷蔵庫本体の底部と対峙させ、前記ダクトカバーの前部を前記冷蔵庫本体の下部前方に設けられた断面Ｌ字状の化粧板に取付けるようにした冷蔵庫であって、その取付手段として、前記ダクトカバーの前部左右間に複数の係止部を一体に形成する一方、前記化粧板に前記係止部に対応する複数の係止孔を設けてなることを特徴とする冷蔵庫。
【発明の詳細な説明】
【０００１】
【発明の属する技術分野】
本発明は冷蔵庫に係わり、詳しくは、圧縮機取付台とその前方に位置するダクトカバーとを一体に接続して冷蔵庫本体の底部に取付けるようにしてなる取付部の構造に関するものである。
【０００２】
【従来の技術】
冷蔵庫本体の底部は例えば図１に示すような構成になっている。図１は冷蔵庫本体下部の概略構成を示す側断面図で、１は鋼板製の外箱２と合成樹脂製の内箱３と発泡性断熱材４とからなる冷蔵庫本体である。この冷蔵庫本体１の底部５の前方には凝縮パイプ６が配設され、後方には機械室７が形成されている。機械室７には、圧縮機８と、同圧縮機８を冷却するためのファンと、圧縮機８の上部に配設された蒸発皿１０とがある。凝縮パイプ６はダクトカバー１１によって支持され、冷蔵庫本体１の底部５とダクトカバー１１とによって外気を取り込み流通させるダクト１５が形成されている。
【０００３】
図６は凝縮パイプ６が配設されたダクトカバー１１と、ファン９および圧縮機８が配設された圧縮機取付台２０の上面図で、ダクトカバー１１は前方下部に吸気口１３を有し、左後方に、機械室７に連通する通気口１４を有している。吸気口１３から吸い込まれた外気は凝縮パイプ６を冷却し、通気口１４から機械室７に入り、圧縮機取付台２０に配設されたファン９により圧縮機８を冷却すると共に、上部の蒸発皿１０に溜まった霜取水の蒸発を促進するようになっている。
【０００４】
ところで、凝縮パイプ６はダクトカバー１１に、ファン９と圧縮機８は圧縮機取付台２０にそれぞれ前もって配設され、両者（ダクトカバー１１と圧縮機取付台２０）は冷蔵庫本体１への取付前に一体に接続され、冷蔵庫本体１への取付に際しては、図７に示すように、前面１ａを上に向けた冷蔵庫本体１の底部５と対峙させ、ダクトカバー１１に設けられた孔１１ｂと、冷蔵庫本体１側の化粧板１７に設けられた孔１７ａとを合わせ、複数のネジ２２で固定するようになっており、作業者は片方の手で圧縮機取付台２０と一体になったダクトカバー１１を持ちながら、もう一方の手でネジ止めの作業を行わなければならず、多大な労力を要するという問題があった。なお、これに類似した冷蔵庫としては、（例えば、特許文献１参照）がある。
【０００５】
【特許文献１】
特開２００２ー８１８４１号公報（第１ー２頁、第１図）
【０００６】
【発明が解決しようとする課題】
本発明においては、上記の問題点に鑑み、ダクトカバーの取付に多大な労力を要することなく、低コストで品質的にも安定した冷蔵庫を提供することを目的としている。
【０００７】
【課題を解決するための手段】
本発明は上記の課題を解決するためになされたものであり、冷蔵庫本体の下部後方の機械室に設けるファンと圧縮機を配設した圧縮機取付台と、前方に吸気口を有し、後方に前記機械室に連通する通気口を有し、内部に凝縮パイプを収容支持し、前記冷蔵庫本体の下部前方を覆うように取付けることによりダクトを形成するダクトカバーとを一体に接続し、前面を上に向けた前記冷蔵庫本体の底部と対峙させ、前記ダクトカバーの前部を前記冷蔵庫本体の下部前方に設けられた断面Ｌ字状の化粧板に取付けるようにした冷蔵庫であって、その取付手段として、前記ダクトカバーの前部左右間に複数の係止部を一体に形成する一方、前記化粧板に前記係止部に対応する複数の係止孔を設けてなる構成とする。
【０００８】
【発明の実施の形態】
以下、本発明の実施の形態を図１〜図５に基づいて説明する。
図１は冷蔵庫本体下部の概略構成を示す側断面図、図２は同冷蔵庫本体下部の上面図である。図において、１は鋼板製の外箱２と合成樹脂製の内箱３と発泡性断熱材４とからなる冷蔵庫本体である。この冷蔵庫本体１の底部５の前方には凝縮パイプ６が配設され、後方には機械室７が形成されている。機械室７には、圧縮機８と、同圧縮機８を冷却するためのファン９と、圧縮機８の上部に配設された蒸発皿１０とがある。
【０００９】
凝縮パイプ６はダクトカバー１１内で複数の支持具１２によって支持されている。ダクトカバー１１はその前方下部に複数の吸気口１３を有し、左後方には機械室７に連通する通気口１４を有し、冷蔵庫本体１の下部前方を覆うように取付けることによって吸気口１３からの外気を機械室７に流通させるダクト１５を形成するようになっている。また、ダクトカバー１１の前部１１ａの左右間に複数の係止部１６を一体に形成する一方、冷蔵庫本体１の下部前方に位置する断面Ｌ字状の化粧板１７に前記係止部１６に対応した複数の係止孔１８を設けた構成になっている。
【００１０】
吸気口１６から吸い込まれた外気は凝縮パイプ６を冷却し、通気口１４から機械室７に入り、機械室７背面下部の補助吸気口１９から流入する外気と一緒になり、圧縮機取付台２０に配設されたファン９により圧縮機８を冷却するとともに、上部の蒸発皿１０に溜まった霜取水の蒸発を促進させ、機械室７の背面上部に設けられた吹出口２１から送出させるようになっている。
【００１１】
ところで、凝縮パイプ６はダクトカバー１１に、ファン９と圧縮機８は圧縮機取付台２０にそれぞれ前もって配設され、両者（ダクトカバー１１と圧縮機取付台２０）は冷蔵庫本体１への取付前に一体に接続され、冷蔵庫本体１への取付に際しては、図３に示すように、前面１ａを上に向けた冷蔵庫本体１の底部５と対峙させ、ダクトカバー１１に設けられた係止部１６を冷蔵庫本体１側の化粧板１７に設けた係止孔１８に嵌合させるようにしているので、ネジやドライバー（工具類）を必要とせず、係止部１６と係止孔１８の位置合わせに両手をフルに使うことができ、組立が正確かつ簡単にできる。
【００１２】
図４は以上説明した係止部１６と係止孔１８の関係を拡大図示したもので、このような形態であれば両者の嵌合も容易で、かつ、簡単に外れる恐れもない。
図５の（Ａ）は第２の実施の形態を示したもので、ダクトカバー１１の前部先端の左右間に凹部形の係止部１６Ａを複数設け、これに対応する係止孔１８Ａを化粧板１７の前面に設けたことが前者との相違点になっている。
また、図５の（Ｂ）は第３の実施の形態を示したもので、ダクトカバー１１の前部上面の左右間に凹部形の係止部１６Ｂを複数設け、これに対応する係止孔１８Ｂを化粧板１７の底面側に設けて引っ掛け係止させるようになっている。
【００１３】
【発明の効果】
以上、説明したような係止部および係止孔を有する構成であるならば、冷蔵庫本体へのダクトカバーの取付にネジやドライバー等を必要とせず、係止部と係止孔の位置合わせに両手をフルに使うことができるので、組立が正確かつ容易に行え、品質の向上が図れるとともに、組立コストが安くなる等の利点がある。
【図面の簡単な説明】
【図１】本発明および従来例に係わる冷蔵庫本体下部の構成を示す側断面図である。
【図２】本発明の第１の実施の形態を示す冷蔵庫本体下部の上面図である。
【図３】本発明に係わる冷蔵庫本体下部の組立時の姿勢を示す斜視図である。
【図４】本発明の第１の実施の形態を示す要部拡大断面図である。
【図５】（Ａ）は本発明の第２の実施の形態を、（Ｂ）は同第３の実施の形態を示す要部拡大断面図である。
【図６】従来例を示す冷蔵庫本体下部の上面図である。
【図７】従来例に係わる冷蔵庫本体下部の組立時の姿勢を示す斜視図である。
【符号の説明】
１  冷蔵庫本体
５  底部
６  凝縮パイプ
７  機械室
８  圧縮機
９  ファン
１０  蒸発皿
１１  ダクトカバー
１２  支持具
１３  吸気口
１４  通気口
１５  ダクト
１６、１６Ａ、１６Ｂ  係止部
１７  化粧板
１８、１８Ａ、１８Ｂ  係止孔
２０  補助吸気孔
２１  吹出口
【図１】
2004286324.tif 000003
【図２】
2004286324.tif 000004
【図３】
2004286324.tif 000005
【図４】
2004286324.tif 000006
【図５】
2004286324.tif 000007
【図６】
2004286324.tif 000008
【図７】
2004286324.tif 000009